(57)【要約】【課題】  この考案は、身体各部（患部）へ適用できると共に、使用条件を大幅に選択して、使用者の希望に沿ったマッサージができるようにすることを目的としている。【解決手段】  この考案は、台盤上へ電気振動源付の振動盤を取り付け、前記振動盤に、赤外線発生部を設けると共に、多数の小突起を設け、前記台盤の一側へ操作部を設け、かつリモコンを付設したことを特徴とする振動マッサージ装置により目的を達成した。【選択図】      図１
0003102701.tif 000002
【実用新案登録請求の範囲】
【請求項１】
台盤上へ電気振動源付の振動盤を取り付け、前記振動盤に、赤外線発生部を設けると共に、多数の小突起を設け、前記台盤の一側へ操作部を設け、かつリモコンを付設したことを特徴とする振動マッサージ装置。
【請求項２】
台盤上へ電気振動源付の振動盤を取り付け、前記振動盤に、足型形状の赤外線発生部を設けると共に、多数の小突起を設け、前記台盤の一側へ操作部を設け、かつリモコンを付設したことを特徴とする振動マッサージ装置。
【請求項３】
台盤上へ、モータにより偏心円板を回転させるようにした電気振動盤を取り付け、前記振動盤に、赤外線発生部を設けると共に、多数の小突起を設け、前記台盤の一側へ操作部を設け、かつリモコンを付設したことを特徴とする振動マッサージ装置。
【請求項４】
台盤上へ電気振動源付の振動盤を取り付け、前記振動盤の二つの足型形状の赤外線発生部に対し、左右対称状に多数の突起を設け、前記台盤の一側へ操作部を設け、かつリモコンを付設したことを特徴とする振動マッサージ装置。
【考案の詳細な説明】
【技術分野】
【０００１】
この考案は、患部に当接して振動を付与し、又は赤外線で加温しつつ振動を付与すること目的とした振動マッサージ装置に関する。
【背景技術】
【０００２】
従来振動マッサージ装置は、手動方式又は設置方式の各種形状構造が知られており、夫々効果を発揮している。
【０００３】
前記手動方式は、患者又は介護者が、器具を持って患部へ当接し、振動を付与するものである。
【０００４】
また設置方式は、椅子などに振動装置を設置し、該部へ幹部を当接して振動治療する方式であった。
【特許文献１】特許第２５３４１０３号
【考案の開示】
【考案が解決しようとする課題】
【０００５】
前記従来の振動治療装置は、腰部、両もも、両手、両足、又は両足裏をほぼ同時に順次治療することができないのみならず、前記患部を同一振動治療装置で治療することができない問題点があった。
【０００６】
また従来の手動方式においては、前記各部を夫々治療することができるけれども、両もも、両脚とかを同時に治療することができないのみならず、適度の加圧、接触圧を得ることは至難とされていた。
【課題を解決するための手段】
【０００７】
この考案は、台盤上に電気振動源付の振動盤を取り付けることにより、前記問題点を解決したのである。
【０００８】
即ちこの考案は、台盤上へ電気振動源付の振動盤を取り付け、前記振動盤に、赤外線発生部を設けると共に、多数の小突起を設け、前記台盤の一側へ操作部を設け、かつリモコンを付設したことを特徴とする振動マッサージ装置であり、台盤上へ電気振動源付の振動盤を取り付け、前記振動盤に、足型形状の赤外線発生部を設けると共に、多数の小突起を設け、前記台盤の一側へ操作部を設け、かつリモコンを付設したことを特徴とする振動マッサージ装置である。
【０００９】
また他の考案は、台盤上へ、モータにより偏心円板を回転させるようにした電気振動盤を取り付け、前記振動盤に、赤外線発生部を設けると共に、多数の小突起を設け、前記台盤の一側へ操作部を設け、かつリモコンを付設したことを特徴とする振動マッサージ装置であり、台盤上へ電気振動源付の振動盤を取り付け、前記振動盤の二つの足型形状の赤外線発生部に対し、左右対称状に多数の突起を設け、前記台盤の一側へ操作部を設け、かつリモコンを付設したことを特徴とする振動マッサージ装置である。
【００１０】
前記考案において、速度を複数段階（例えば１段階〜１５段階）に選択できると共に、デジタル表示（１段階〜１５段階）で表示するので、選択状態を知ることができる。また赤外線ボタンを押すことにより赤外線の強さ（熱さ）を複数段階（例えば１段階〜８段階）に選択することができる。
【００１１】
更にタイマーによって、治療時間（例えば１０分〜３０分）を自由に選択できる。
【００１２】
前記各操作を自動にすることもできるので、予め自己の好みに応じて動作を設定しておけば、電源スイッチを入れるのみで、これを全自動として使用することもできる。
【考案の効果】
【００１３】
この考案は、一台の装置で、両手、両足、両膝、両脚、又は腰を順次所望時間、所望強さでマッサージできる効果がある。
【００１４】
然して装置と患部の当接圧も自由に選定できるので、危険性は皆無であり、当接と取り外しは自在であるから、過度の治療又は強制治療化するおそれはないなどの効果もある。
【考案を実施するための最良の形態】
【００１５】
この考案は、台盤上へ、モータにより偏心円板を回転させるようにした電機振動盤を取り付け、前記振動盤に足型の赤外線発生部を並列設置すると共に、振動盤の表面へ多数の小突起を設け、前記台盤の一側へ操作部を設けかつリモコンを付設した振動マッサージ装置である。
【００１６】
前記小突起は、当接患部の「ツボ」に合致するようにすれば、マッサージ効果を更に向上させることができる。
【実施例】
【００１７】
この考案の実施例を図１、２、３について説明する。内腔２に電気回路等を収容することができる台盤１の開口部１ａに蓋板３を固定し、前記台盤１の下面に４つの支脚４、４を固定し、前記蓋板３の四隅へ弾性の支持柱５、５の下端を固定し、支持柱５、５の上端部へ振動盤６の四隅を固定する。
【００１８】
前記振動盤６には、足型孔７、７を並設し、足型孔７、７内に赤外線発生器を設置すると共に、該足型孔７、７へ赤外線透過の足型板８、８を嵌合設置し、前記足型孔７、７の下部塞板６ａを固定する。前記振動盤６の表面及び足型板８、８の表面へ多数の小突起９、９を突設し、前記蓋板３の下面にモータ１０を固定すると共に、モータ１０の軸１０ａへ偏心板１１を固定し、偏心板１１へ軸１２を偏心して固定し、軸１２の上端を振動盤６に固定する。
【００１９】
前記台盤１の一側へ操作盤１３を固定し、操作盤１３へ電源ボタン１４、電源ランプ１５、タイマーランプ１６、リモコン受信部１７、自動ランプ１８、自動ボタン１９、赤外線ボタン２０、速度ボタン２１、２１、デジタル表示２２及びタイマーボタン２３を設置して、この考案のマッサージ装置２５を構成した。
【００２０】
各足型板８、８の下部には電球取付板３７、３７を配置し、電球取付板３７には導電層３８、３８を設けると共に、各導電層３８に赤外線電球３９、３９を夫々固定する。従って電源を入れると、各赤外線電球から赤外線を放射し、足型板８を介して治療部を加温するので、治療効果を向上することができる。
【００２１】
前記図５における赤外線電球３９の配置は一例であって、これに限定されるものではない。
【００２２】
前記操作盤１３のリモコン受信部１７に対応して、リモコン本体２４には、電源ボタン２６、速度ボタン２７、自動ボタン２８、赤外線ボタン２９、タイマーボタン３０及びリストストラップ取付部３１が設けてある。
【００２３】
前記実施装置は、図３中（ａ）のように両手３２を当接し、又は同図中（ｂ）のように両足３３を乗せ、同図中（ｃ）のように、両脚３４を当接し、同図中（ｄ）のように両膝３５上へ乗せ、又は同図中（ｅ）のように腰３６に当接して使用する。
【００２４】
この実施装置は、予め自動プログラムとしておけば、電源ボタン１４を入れるのみで速度、赤外線の強さ、及び治療時間が自動的に選択される。又は電源ボタン１４を押してから、速度ボタン２１、赤外線ボタン２０及びタイマーボタン２３を押して、各部を選択することもできる。
【図面の簡単な説明】
【００２５】
【図１】この考案の実施例の平面図。
【図２】（ａ）同じく前面操作部の拡大図、（ｂ）同じくリモコンの拡大図。
【図３】（ａ）同じく手の治療を示す説明図、（ｂ）同じく足の治療を示す説明図、（ｃ）同じく脚の治療を示す説明図、（ｄ）同じく膝の治療を示す説明図、（ｅ）同じく腰の治療を示す説明図。
【図４】同じく実施装置の展開拡大斜視図。
【図５】同じく足型板の下部に配置する電球取付板の一例を示す拡大平面図。
【符号の説明】
【００２６】
１  台盤
２  内腔
３  蓋板
４  支脚
５  支持柱
６  振動盤
７  足型孔
８  足型板
９  小突起
１０  モータ
１１  偏心板
１２  軸
１３  操作盤
１４  電源ボタン
１５  電源ランプ
１６  タイマーランプ
１７  リモコン受信部
１８  自動ランプ
１９  自動ボタン
２０  赤外線ボタン
２１  速度ボタン
２２  デジタル表示
２３  タイマーボタン
２４  リモコン本体
２５  マッサージ装置
２６  電源ボタン
２７  速度ボタン
２８  自動ボタン
２９  赤外線ボタン
３０  タイマーボタン
３１  リストストラップの取付部
【図１】
0003102701.tif 000003
【図２】
0003102701.tif 000004
【図３】
0003102701.tif 000005
【図４】
0003102701.tif 000006
【図５】
0003102701.tif 000007